(57)【要約】【課題】  小型化を図れる共に、小型化の金属ケース等に充分な絶縁距離を確保して収納できるようにする。【解決手段】  コイルボビン２の軸方向に１次コイル巻回部７と２次コイル巻回部８とが設けられ、１次コイル巻回部７に１次コイル３が巻回され、２次コイル巻回部８に２次コイル４が巻回された電磁装置において、  １次コイル３の巻き初め３ａと１次コイル３の巻き終わり３ｂと２次コイル４の巻き初め４ａと２次コイル４の巻き終わり４ｂとが、コイルボビン２の軸方向一端側に取り出されて、コイルボビン２の軸方向一端側に設けた端子２０にそれぞれ接続されている。【選択図】      図１
2005033085.tif 000002
【特許請求の範囲】
【請求項１】
コイルボビン（２）の軸方向に１次コイル巻回部（７）と２次コイル巻回部（８）とが設けられ、１次コイル巻回部（７）に１次コイル（３）が巻回され、２次コイル巻回部（８）に２次コイル（４）が巻回された電磁装置において、
１次コイル（３）の巻き初め（３ａ）と１次コイル（３）の巻き終わり（３ｂ）と２次コイル（４）の巻き初め（４ａ）と２次コイル（４）の巻き終わり（４ｂ）とが、コイルボビン（２）の軸方向一端側に取り出されて、コイルボビン（２）の軸方向一端側に設けた端子（２０）にそれぞれ接続されていることを特徴とする電磁装置。
【請求項２】
コイルボビン（２）の１次コイル巻回部（７）と２次コイル巻回部（８）との間の中間部（１８）に、前記コイルの取り出し側とは反対側に位置するコイル巻回部の底部に向けてコイルの巻き初めを案内する誘導路（３２）が設けられていることを特徴とする請求項１に記載の電磁装置。
【請求項３】
コイルボビン（２）の１次コイル巻回部（７）と２次コイル巻回部（８）との間の中間部（１８）に、コイルの巻き初めが誘導路（３２）からコイル巻回部の底部に移る際にコイルの巻き初めをコイルボビン（２）の幅方向を向くように添わせる湾曲部（３３）が設けられていることを特徴とする請求項２に記載の電磁装置。
【請求項４】
コイルボビン（２）の長手方向両端部に、端子（２０）を装着可能な端子台（１５，１６）が設けられ、これら端子台（１５，１６）は互いに同一形状に形成されていることを特徴とする請求項１〜３のいずれかに記載の電磁装置。
【発明の詳細な説明】
【技術分野】
【０００１】
本発明は、例えば放電灯点灯装置に使用される蛍光灯安定器等の電磁装置に関する。
【背景技術】
【０００２】
例えば放電灯点灯装置に使用される蛍光灯安定器等の電磁装置には、図２１に示すように、コイルボビン５１の軸方向に、１次コイル巻回部５２と２次コイル巻回部５３とを設け、１次コイル巻回部５２に１次コイル５４を巻回し、２次コイル巻回部５３に２次コイル５５を巻回したものがあり、この種の従来の電磁装置は、同図に示すように、１次コイル５４の巻き初め５４ａ及び巻き終わり５４ｂと２次コイル５５の巻き始め５５ａ及び巻き終わり５５ｂとをコイルボビン５１の軸方向両側に振り分けて、個々の端子５７にそれぞれ接続していた（例えば特許文献１）。
【特許文献１】特開平８−１６２３４６号公報
【特許文献２】実公平３−２８４９７号公報
【特許文献３】実公平２−２５２２３号公報
【発明の開示】
【発明が解決しようとする課題】
【０００３】
従って、従来の電磁装置では、コイルボビン５１の軸方向両側に端子台５８，５９が突設されると共に、各端子台５８，５９に端子５７が外方突出状に装着されており、このため電磁装置全体が大型化した。また、この電磁装置を金属ケース６０に収納する場合には、金属ケース６０との絶縁距離を確保する必要があり、端子５７と金属ケース６０との間に充分な絶縁距離を確保することができないような場合には、図２１に示すように絶縁材６１を設けることが必要になった。
本発明は上記問題点に鑑み、電磁装置自体の小型化を図れる共に、小型化の金属ケース等に充分な絶縁距離を確保して容易に収納できるようにしたものである。
【課題を解決するための手段】
【０００４】
この技術的課題を解決する本発明の技術的手段は、コイルボビン２の軸方向に１次コイル巻回部７と２次コイル巻回部８とが設けられ、１次コイル巻回部７に１次コイル３が巻回され、２次コイル巻回部８に２次コイル４が巻回された電磁装置において、
１次コイル３の巻き初め３ａと１次コイル３の巻き終わり３ｂと２次コイル４の巻き初め４ａと２次コイル４の巻き終わり４ｂとが、コイルボビン２の軸方向一端側に取り出されて、コイルボビン２の軸方向一端側に設けた端子２０にそれぞれ接続されている点にある。
【０００５】
また、本発明の他の技術的手段は、コイルボビン２の１次コイル巻回部７と２次コイル巻回部８との間の中間部１８に、前記コイルの取り出し側とは反対側に位置するコイル巻回部の底部に向けてコイルの巻き初めを案内する誘導路３２が設けられている点にある。
また、本発明の他の技術的手段は、コイルボビン２の１次コイル巻回部７と２次コイル巻回部８との間の中間部１８に、コイルの巻き初めが誘導路３２からコイル巻回部の底部に移る際にコイルの巻き初めをコイルボビン２の幅方向を向くように添わせる湾曲部３３が設けられている点にある。
【０００６】
また、本発明の他の技術的手段は、コイルボビン２の長手方向両端部に、端子２０を装着可能な端子台１５，１６が設けられ、これら端子台１５，１６は互いに同一形状に形成されている点にある。
【発明の効果】
【０００７】
本発明によれば、電磁装置自体を小型化をすることができる。また、小型化の金属ケース等に充分な絶縁距離を確保して収納できるようになる。
【発明を実施するための最良の形態】
【０００８】
以下、本発明の実施の形態を図面に基づいて説明する。
図１〜図２１は、放電灯点灯装置に使用される蛍光灯安定器である電磁装置を示している。この電磁装置は、図示省略の積層鉄心を備えると共に、図１に示すように、積層鉄心の中央磁路に外嵌装着されたコイルボビン２と、コイルボビン２を介して積層鉄心の中央磁路に巻回された１次コイル３及び２次コイル４とを備えている。
図１〜図１６において、コイルボビン２は、軸方向に１次コイル巻回部７と２次コイル巻回部８とを備えると共に、１次コイル巻回部７の軸方向両端に一対の鍔体１０，１１が設けられると共に、２次コイル巻回部８の軸方向両端に一対の鍔体１２，１３が設けられている。
【０００９】
コイルボビン２の軸方向両端に、一対の端子台１５，１６が外方突設され、コイルボビン２の１次コイル巻回部７と２次コイル巻回部８との間に、角筒状の中間部１８が設けられている。前記１次コイル巻回部７、２次コイル巻回部８、鍔体１０，１１，１２，１３、端子台１５，１６及び中間部１８は合成樹脂等により一体成形されている。
一対の端子台１５，１６は、軸方向外端の各鍔体１０，１３の一端部（上端部）側から軸方向外方に向けてそれぞれ突設されて、互いに同一形状に形成されている。各端子台１５，１６に、端子２０（２０ａ、２０ｂ、２０ｃ）を嵌合保持するための保持孔２１が幅方向に並んで５個設けられ、各保持孔２１は軸方向に形成され、各保持孔２１に対応して係止孔２２が保持孔２１に直交する方向（上下方向）に形成されている。端子２０は銅板等により帯板状に形成され、上側に切り起こしてなる係合片２３が設けられており、端子２０を保持孔２１に挿入することにより、端子２０が端子台１５に嵌合保持され、端子２０を保持孔２１から抜く際に係合片２３が係止孔２２の開口縁部に引っ掛かて抜け止めされるようになっている。
【００１０】
一方（１次コイル巻回部７の外端側）の端子台１５に、３個の端子２０ａ，２０ｂ，２０ｃが外方突出するように装着されている。
各端子台１５，１６の突出基部に、係合突起２５ａ，２５ｂ，２５ｃ，２５ｄが幅方向に間隔をおいて上方突設され、各端子台１５，１６の突出方向の中間部に、幅方向一対の係合突起２６ａ，２６ｂが上方突設されている。
コイルボビン２の１次コイル巻回部７と２次コイル巻回部８との間の中間部１８は、角筒状に形成され、１次コイル巻回部７の鍔部１１側に、一対の係合突起２７ａ，２７ｂが突設され、２次コイル４の鍔部１２側に、前記係合突起２７ｂに対向する係合突起２８が突設されている。中間部１８の上面側に、鍔部１１，１２間を連結するように連結壁３１が設けられている。
【００１１】
図１７及び図１８にも示すように、中間部１８の上面側に、２次コイル巻回部８（コイルの取り出し側とは反対側に位置するコイル巻回部）の底部に向けて２次コイル４の巻き初め４ａを案内する誘導路３２が設けられている。この誘導路３２は、コイルボビン軸方向の２次コイル巻回部８側に行くに従ってコイルボビン幅方向の外方に向かうように傾斜されると共に、２次コイル巻回部８側に行くに従って２次コイル巻回部８の底部に近づくように下降傾斜されており、２次コイル４の巻き初め４ａがこの誘導路３２の上面に添って配置されている。
【００１２】
また、中間部１８の上面側に、２次コイル４の巻き初め４ａが誘導路３２から２次コイル巻回部８の底部に移る際に２次コイル４の巻き初め４ａをコイルボビン２の幅方向を向くように添わせるための湾曲部３３が設けられている。この湾曲部３３は、前記連結壁３１の２次コイル巻回部８側の外面を湾曲形成してなる。
１次コイル３の巻き初め３ａは、端子２０ａにからげて接続された後、係合突起２６ａ，２５ａに係合されて１次コイル巻回部７の底部に導かれ、１次コイル３は、１次コイル巻回部７に、端子台１５（鍔体１０）側から巻回されて複数回ターンを繰り返して１次コイル巻回部７に複数層に亘って巻回されている。１次コイル３の巻き終わり３ｂは、１次コイル巻回部７の端子台１５（鍔体１０）側に巻回された後、係合突起２５ｂに係合されて、端子２０ｂにからげて接続されている。
【００１３】
２次コイル４の巻き初め４ａは、端子２０ｂにからげて接続された後、１次コイル３の上部に添って中間部１８側に導出され、中間部１８の係合突起２７ａに係合された後、誘導路３２上に配置されると共に、湾曲部３３に添うように配置されて２次コイル巻回部８の底部に引き出されている。２次コイル４は、２次コイル巻回部８に、中間部１８側から巻回されて複数回ターンして２次コイル巻回部８に複数層に亘って巻回されている。２次コイル４の巻き終わり４ｂは、２次コイル巻回部８の中間部１８側に巻回された後、係合突起２８，係合突起２７ｂに係合されて、１次コイル３上を通って係合突起２５ｄ，２６ｂに係合され、端子２０ｃにからげて接続されている。
【００１４】
図１９に示すように、前記電磁装置は、筒状等の金属ケース３５に収納され、電磁装置と金属ケース３５との間にコンパウンド３６等が充填されている。
図２０は、前記電磁装置を用いた放電灯点灯回路の回路図を示し、４１は放電灯、４２はグローランプである。１次コイル３の巻き初め３ａと２次コイル４の巻き終わり４ｂとが放電灯４１の両端にそれぞれ接続され、１次コイル３の巻き初め３ａと、１次コイル３の巻き終わり３ｂ及び２次コイル４の巻き初め４ａとの間に、熱的保護装置４３を介して商用電源等が接続されるようになっている。
【００１５】
上記実施の形態によれば、コイルボビン２に１次コイル３及び２次コイル４を巻回する場合、例えば、一方の端子台１５に、３個の端子２０ａ，２０ｂ，２０ｃを外方突出状に取り付けておき、２次コイル４の巻き初め４ａを、端子２０ｂにからげて接続した後、１次コイル３の上部に添って中間部１８に向けて配置し、係合突起２７ａに係合させた後、誘導路３２の上面に添って配置して湾曲部３３に添わして２次コイル巻回部８の底部に導き、２次コイル４を、２次コイル巻回部８に中間部１８側から巻回して、２次コイル巻回部８に複数層に巻回する。
【００１６】
一方、１次コイル３の巻き初め３ｂを、端子２０ａにからげて接続した後、係合突起２６ａ及び係合突起２５ａに係合して１次コイル巻回部７の底部に導き、１次コイル３を、１次コイル巻回部７に、端子台１５側から巻回して複数回ターンを繰り返して１次コイル巻回部７に複数層に亘って巻回すればよい。
そして、１次コイル３の巻き終わり３ｂを係合突起２５ｂに係合して、端子２０ｂにからげて接続すると共に、２次コイル４の巻き終わり４ｂを、中間部１８の係合突起２８，２７ｂに係合して１次コイル３の上面を通して係合突起２５ｄ，２６ｂに係合して、２次コイル４の巻き終わり４ｂを端子２０ｃにからげて接続すればよい。
【００１７】
上記の如く２次コイル４を２次コイル巻回部８に巻回する際に、２次コイル４の巻き初め４ａを誘導路３２及び湾曲部３３に添わせるように配置することによって、２次コイル４の巻き初め４ａを、２次コイル巻回部８の底部にコイルボビン２の幅方向を向くように導くことができ、２次コイル４を２次コイル巻回部８に簡単に巻回することができる。
即ち、従来の電磁装置（ボビン構造）では、本願の誘導路３２及び湾曲部３３に相当するものがなかったため、軸方向他端側のコイルの巻き始めを、中間部１８側からコイル巻回部の底部に良好に誘導することができなくなり、１次コイル及び２次コイルの巻き始め、巻き終わりをコイルボビンの軸方向両側に振り分ける必要があり、コイルボビンの軸方向両側に端子台及び端子を設けることが必要であったが、本願では、上記の如く誘導路３２及び湾曲部３３があるため、１次コイル３の巻き初め３ａと１次コイル３の巻き終わり３ｂと２次コイル４の巻き初め４ａと２次コイル４の巻き終わり４ｂとを、コイルボビン２の軸方向一端側に取り出して、コイルボビン２の軸方向一端側に設けた端子２０にそれぞれ接続することができるようになる。
【００１８】
従って、コイルボビン２の軸方向他端側には外方突出した端子２０は不要になり、このため、電磁装置全体の軸方向の長さが短くなって、電磁装置自体を小型化することができる。又、電磁装置全体の軸方向の長さを短くなし得るので、この電磁装置を金属ケース３５等に収納した際に、金属ケース３５の長手方向両端部との間の絶縁距離を充分に確保することができるし、また、電磁装置の軸方向他端側に端子２０を設ける必要がなくなるため、電磁装置に軸方向他端側と金属ケース３５等との間に絶縁材を設ける必要がなくなり、この点からも、構成部材を省略することができて、製造容易でかつ安価に製造することができるようになる。
【００１９】
なお、前記実施の形態では、１次コイル３の巻き初め３ａと１次コイル３の巻き終わり３ｂと２次コイル４の巻き初め４ａと２次コイル４の巻き終わり４ｂとが、コイルボビン２の軸方向の１次コイル巻回部７側の一端に取り出されて、コイルボビン２の軸方向の１次コイル巻回部７側の一端側に設けた端子２０（２０ａ，２０ｂ，２０ｃ）にそれぞれ接続されているが、これに代え、１次コイル３の巻き初め３ａと１次コイル３の巻き終わり３ｂと２次コイル４の巻き初め４ａと２次コイル４の巻き終わり４ｂとを、コイルボビン２の軸方向の２次コイル巻回部８側の一端側に取り出して、コイルボビン２の軸方向の２次コイル巻回部８側の一端側に設けた端子２０にそれぞれ接続するようにしてもよい。この場合、中間部１８に、前記コイルの取り出し側とは反対側に位置する１次コイル巻回部７の底部に向けて１次コイル３の巻き初めを案内するように、誘導路３２を設ければよい。また、中間部１８に、２次コイル４の巻き初め４ａに代えて、１次コイル３の巻き初め３ａが誘導路３２から１次コイル巻回部７の底部に移る際に１次コイル３の巻き初め３ａをコイルボビン２の幅方向を向くように添わせる湾曲部３３を設ければよい。
【００２０】
また、前記実施の形態では、コイルボビン２の長手方向両端部に、端子２０を装着可能な端子台１５，１６が設けられ、これら端子台１５，１６は互いに同一形状に形成されているが、これに代え、コイルボビン２の長手方向の一端側のみに端子台を設けるようにして、コイルボビン２の他端側には端子台を省略するようにしてもよい。
【産業上の利用可能性】
【００２１】
本発明は、コイルボビンに１次コイルと２次コイルとを巻回するようにした電磁装置、特に放電灯点灯装置に使用される蛍光灯安定器に利用することができる。
【図面の簡単な説明】
【００２２】
【図１】本発明の一実施の形態を示す電磁装置の平面図である。
【図２】同コイルボビンの平面図である。
【図３】同コイルボビンの正面図である。
【図４】同コイルボビンの底面図である。
【図５】同コイルボビンの左側面図である。
【図６】同コイルボビンの右側面図である。
【図７】同図３のＡ−Ａ線断面図である。
【図８】同図３のＢ−Ｂ線断面図である。
【図９】同図３のＣ−Ｃ線断面図である。
【図１０】同図２のＤ−Ｄ線断面図である。
【図１１】同図２のＥ−Ｅ線断面図である。
【図１２】同図２のＦ−Ｆ線断面図である。
【図１３】同図２のＧ−Ｇ線断面図である。
【図１４】同図２のＨ−Ｈ線断面図である。
【図１５】同図２のＩ−Ｉ線断面図である。
【図１６】同図２のＪ−Ｊ線断面図である。
【図１７】同コイルボビンの中間部部分の斜視図である。
【図１８】同コイルボビンの中間部分の斜視図である。
【図１９】同電磁装置を金属ケースに収納した状態の平面図である。
【図２０】同放電灯点灯装置の回路図である。
【図２１】従来例を示す電磁装置を金属ケースに収納した状態の平面図である。
【符号の説明】
【００２３】
２      コイルボビン
３      １次コイル
３ａ      巻き初め
３ｂ      巻き終わり
４      ２次コイル
４ａ      巻き初め
４ｂ      巻き終わり
７      １次コイル巻回部
８      ２次コイル巻回部
１５      端子台
１６      端子台
１８      中間部
２０      端子
３２      誘導路
３３      湾曲部
【図１】
2005033085.tif 000003
【図２】
2005033085.tif 000004
【図３】
2005033085.tif 000005
【図４】
2005033085.tif 000006
【図５】
2005033085.tif 000007
【図６】
2005033085.tif 000008
【図７】
2005033085.tif 000009
【図８】
2005033085.tif 000010
【図９】
2005033085.tif 000011
【図１０】
2005033085.tif 000012
【図１１】
2005033085.tif 000013
【図１２】
2005033085.tif 000014
【図１３】
2005033085.tif 000015
【図１４】
2005033085.tif 000016
【図１５】
2005033085.tif 000017
【図１６】
2005033085.tif 000018
【図１７】
2005033085.tif 000019
【図１８】
2005033085.tif 000020
【図１９】
2005033085.tif 000021
【図２０】
2005033085.tif 000022
【図２１】
2005033085.tif 000023